(57)【要約】【課題】  例えば複数の記録層の夫々について、効率的に試し書きを行なうことを可能とする。【解決手段】  第１情報を記録するための第１記録層（１０７）と、第１記録層上に配置されると共に、第２情報を夫々記録するための一又は複数の第２記録層（２０７等）とを備えており、第２記録層の各層は、該各層よりも第１記録層側に位置する第２記録層の他の層及び第１記録層を透過した記録用レーザ光の最適記録パワーを検出するパワーキャリブレーションが行われる所定領域（ＰＣＡ１−１）を有し、他の層及び第１記録層における、所定領域に対向する対向領域（ＴＡ）では、グルーブにおける幅等の第１絶対量が大きくされることによって、対向領域における光透過率が、第１絶対量が大きくされておらず且つ他の層及び第１記録層が未記録であると仮定した場合の光透過率と比べて、第１絶対量が大きくされておらず且つ他の層及び第１記録層が記録済みであると仮定した場合の光透過率に近付けられている。【選択図】  図７  
2005353165.tif 000002
【特許請求の範囲】
【請求項１】
記録情報の少なくとも一部である第１情報を記録するための第１記録層と、
該第１記録層上に配置されると共に、前記記録情報の少なくとも他の一部である第２情報を夫々記録するための一又は複数の第２記録層と
を備えており、
前記第２記録層の各層は、該各層よりも前記第１記録層側に位置する前記第２記録層の他の層及び前記第１記録層を透過した記録用レーザ光の最適記録パワーを検出するパワーキャリブレーションが行われる所定領域を有し、
前記他の層及び前記第１記録層における、前記所定領域に対向する対向領域では、グルーブにおける幅及び深さのうち少なくとも一方の第１絶対量が大きくされることによって、当該対向領域における光透過率が、前記第１絶対量が大きくされておらず且つ前記他の層及び前記第１記録層が未記録であると仮定した場合の光透過率と比べて、前記第１絶対量が大きくされておらず且つ前記他の層及び前記第１記録層が記録済みであると仮定した場合の光透過率に近付けられていることを特徴とする情報記録媒体。
【請求項２】
前記対向領域では、前記第１絶対量が大きくされることによって、当該対向領域における光透過率が、前記第１絶対量が大きくされておらず且つ前記他の層及び前記第１記録層が記録済みであると仮定した場合の光透過率に等しくされていることを特徴とする請求項１に記載の情報記録媒体。
【請求項３】
前記所定領域では、グルーブにおける幅及び深さのうち少なくとも一方の第２絶対量が大きく又は小さくされることによって、前記対向領域における光透過率が、前記第２絶対量が大きく又は小さくされておらず且つ前記他の層及び前記第１記録層が未記録であると仮定した場合の光透過率と比べて、前記第２絶対量が大きく又は小さくされておらず且つ前記他の層及び前記第１記録層が記録済みであると仮定した場合の光透過率に近付けられていることを特徴とする請求項１又は２に記載の情報記録媒体。
【請求項４】
前記所定領域では、前記第２絶対量が大きく又は小さくされることによって、前記対向領域における光透過率が、前記第２絶対量が大きく又は小さくされておらず且つ前記他の層及び前記第１記録層が記録済みであると仮定した場合の光透過率に等しくされていることを特徴とする請求項３に記載の情報記録媒体。
【請求項５】
前記第２記録層の各層は、第２色素膜を更に備え、
前記所定領域では、前記第２色素膜が厚く又は薄く形成されることによって、前記対向領域における光透過率が、前記第２色素膜が厚く又は薄く形成されておらず且つ前記他の層及び前記第１記録層が未記録であると仮定した場合の光透過率と比べて、前記第２色素膜が厚く又は薄く形成されておらず且つ前記他の層及び前記第１記録層が記録済みであると仮定した場合の光透過率に近付けられていることを特徴とする請求項３又は４に記載の情報記録媒体。
【請求項６】
前記第１記録層は、第１色素膜を更に備え、
前記対向領域では、前記第１色素膜が厚く又は薄く形成されることによって、当該対向領域における光透過率が、前記第１色素膜が厚く又は薄く形成されておらず且つ前記他の層及び前記第１記録層が未記録であると仮定した場合の光透過率と比べて、前記第１色素膜が厚く又は薄く形成されておらず且つ前記他の層及び前記第１記録層が記録済みであると仮定した場合の光透過率に近付けられていることを特徴とする請求項１から５のいずれか一項に記載の情報記録媒体。
【請求項７】
前記所定領域は、前記対向領域よりも小さい領域であることを特徴とする請求項１から６のいずれか一項に記載の情報記録媒体。
【請求項８】
前記第１記録層及び前記第２記録層の各層のうち少なくとも一つは、管理情報を記録する管理情報記録領域を更に有し、
前記管理情報記録領域には、前記管理情報として、前記第１絶対量及び前記第２絶対量のうち少なくとも一方が大きく又は小さくされているか否かを識別する識別情報が記録されていることを特徴とする請求項３から７のいずれか一項に記載の情報記録媒体。
【請求項９】
前記他の層及び前記第１記録層は、前記対向領域と異なる領域に、前記他の層及び前記第１記録層に対する前記パワーキャリブレーションが行われる第１所定領域を夫々有することを特徴とする請求項１から８のいずれか一項に記載の情報記録媒体。
【請求項１０】
前記第２記録層の各層は、前記所定領域と異なる領域であって、前記対向領域に対向しない領域に、前記第２記録層の各層に対する前記パワーキャリブレーションが行われる第２所定領域を夫々有することを特徴とする請求項１から９のいずれか一項に記載の情報記録媒体。
【請求項１１】
前記第１記録層及び第２記録層の各層のうち少なくとも一つは、前記検出された最適記録パワーの値を記録する管理領域を更に有することを特徴とする請求項１から１０のいずれか一項に記載の情報記録媒体。
【請求項１２】
請求項１から１１のいずれか一項に記載の情報記録媒体に、前記記録情報を記録するための情報記録装置であって、
前記記録用レーザ光を前記第１記録層に集光するように照射することで前記第１記録層に対して前記記録情報の少なくとも他の一部である試し書き情報を書き込み、前記記録用レーザ光を前記第２記録層の各層に集光するように照射することで前記第２記録層の各層に対して前記試し書き情報を書き込むための書込手段と、
（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御手段と
を備えたことを特徴とする情報記録装置。
【請求項１３】
請求項１から１１のいずれか一項に記載の情報記録媒体に、前記記録情報を記録するために、前記記録情報の少なくとも他の一部である試し書き情報を書き込むための書込手段を備えた情報記録装置における情報記録方法であって、
（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御工程と
を備えたことを特徴とする情報記録方法。
【発明の詳細な説明】
【技術分野】
【０００１】
本発明は、例えばＤＶＤ等の情報記録媒体、並びに例えばＤＶＤレコーダ等の情報記録装置及び方法の技術分野に関する。
【背景技術】
【０００２】
例えば、ＣＤ、ＤＶＤ等の情報記録媒体では、同一基板上に複数の記録層が積層されてなる多層型若しくはデュアルレイヤ又はマルチプルレイヤ型の光ディスク等も開発されている。そして、このような二層型の光ディスクを記録する、ＣＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。
【０００３】
また、この種の光ディスク等へデータ情報を記録する場合においては、光ディスクの種類、情報記録再生装置の種類及び記録速度等に応じて、ＯＰＣ（Optimum Power Control）処理により、最適な記録レーザーパワー（本願では適宜「最適記録パワー」と称する）が設定される。即ち、記録パワーのキャリブレーション（較正）が行われる。これにより、光ディスクにおける情報記録面の特性のばらつき等に対応した適切な記録動作を実現できる。例えば、光ディスクが装填されて書き込みのコマンドが入力されると、順次段階的に光強度が切り換えられて試し書き用のデータがＯＰＣエリアに記録され、いわゆる試し書きの処理が実行される。特に、二層の記録層の夫々にＯＰＣエリアが設けられており、これら二層に対して夫々ＯＰＣ処理を行う技術が開示されている。
【０００４】
加えて、２層型光ディスクの場合は、Ｌ１層における最適記録パワーの検出にはレーザ光が透過するＬ０層における２種類の記録状態に適切に対応する必要がある。通常、Ｌ０層が記録済み状態の場合には、Ｌ０層におけるＬ１層への光透過率が低下し、最適記録パワーの値が増加するからである。他方、Ｌ０層が未記録状態の場合には、Ｌ０層におけるＬ１層への光透過率は比較的に高く、最適記録パワーの値は減少する。
【０００５】
そこで、特許文献１等に記載されているように、Ｌ１層におけるＯＰＣ処理を行なう場合、最初に、Ｌ０層へデータ情報の記録を行い、次に、Ｌ１層におけるＯＰＣ処理をより適切に行なう技術も開示されている。
【０００６】
【特許文献１】特開２００１−５２３３７号公報
【発明の開示】
【発明が解決しようとする課題】
【０００７】
しかしながら、上述したＬ１層におけるＯＰＣ処理において、最適記録パワーの検出を行なうにあたり、レーザ光が透過するＬ０層を記録状態にする処理を行わなければならないという技術的な問題点がある。
【０００８】
本発明は、例えば上述した従来の問題点に鑑みなされたものであり、例えば複数の記録層の夫々について、効率的に試し書きを行なうことが可能であると共に効率的に記録情報を記録することが可能である多層型の情報記録媒体、並びにそのような情報記録媒体に情報を効率的に記録し得る情報記録装置及び方法を提供することを課題とする。
【課題を解決するための手段】
【０００９】
本発明の請求項１に記載の情報記録媒体は上記課題を解決するために、記録情報の少なくとも一部である第１情報を記録するための第１記録層と、該第１記録層上に配置されると共に、前記記録情報の少なくとも他の一部である第２情報を夫々記録するための一又は複数の第２記録層とを備えており、前記第２記録層の各層は、該各層よりも前記第１記録層側に位置する前記第２記録層の他の層及び前記第１記録層を透過した記録用レーザ光の最適記録パワーを検出するパワーキャリブレーション（較正）が行われる所定領域を有し、前記他の層及び前記第１記録層における、前記所定領域に対向する対向領域では、グルーブにおける幅及び深さのうち少なくとも一方の第１絶対量が大きくされることによって、当該対向領域における光透過率が、前記第１絶対量が大きくされておらず且つ前記他の層及び前記第１記録層が未記録であると仮定した場合の光透過率と比べて、前記第１絶対量が大きくされておらず且つ前記他の層及び前記第１記録層が記録済みであると仮定した場合の光透過率に近付けられている。
【００１０】
本発明の請求項１２に記載の情報記録装置は上記課題を解決するために、請求項１から１１のいずれか一項に記載の情報記録媒体に、前記記録情報を記録するための情報記録装置であって、前記記録用レーザ光を前記第１記録層に集光するように照射することで前記第１記録層に対して前記記録情報の少なくとも他の一部である試し書き情報を書き込み、前記記録用レーザ光を前記第２記録層の各層に集光するように照射することで前記第２記録層の各層に対して前記試し書き情報を書き込むための書込手段と、（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御手段とを備える。
【００１１】
本発明の請求項１３に記載の情報記録方法は上記課題を解決するために、請求項１から１１のいずれか一項に記載の情報記録媒体に、前記記録情報を記録するために、前記記録情報の少なくとも他の一部である試し書き情報を書き込むための書込手段を備えた情報記録装置における情報記録方法であって、（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御工程とを備える。
【００１２】
本発明の作用及び利得は次に説明する実施の形態から明らかにされる。
【発明を実施するための最良の形態】
【００１３】
（情報記録媒体に係る実施形態）
本発明の情報記録媒体に係る実施形態は、記録情報の少なくとも一部である第１情報を記録するための第１記録層と、該第１記録層上に配置されると共に、前記記録情報の少なくとも他の一部である第２情報を夫々記録するための一又は複数の第２記録層とを備えており、前記第２記録層の各層は、該各層よりも前記第１記録層側に位置する前記第２記録層の他の層及び前記第１記録層を透過した記録用レーザ光の最適記録パワーを検出するパワーキャリブレーション（較正）が行われる所定領域を有し、前記他の層及び前記第１記録層における、前記所定領域に対向する対向領域では、グルーブにおける幅及び深さのうち少なくとも一方の第１絶対量が大きくされることによって、当該対向領域における光透過率が、前記第１絶対量が大きくされておらず且つ前記他の層及び前記第１記録層が未記録であると仮定した場合の光透過率と比べて、前記第１絶対量が大きくされておらず且つ前記他の層及び前記第１記録層が記録済みであると仮定した場合の光透過率に近付けられている。
【００１４】
本発明の情報記録媒体に係る実施形態によれば、例えば、ディスク状の基板の一方の面上に、第１記録層、並びに、一又は複数の第２記録層が積層されており、当該情報記録媒体は、２層型或いは多層型の例えばＤＶＤ或いは光ディスク等である。第１記録層には、例えば音声、映像情報或いはコンテンツ情報等の記録情報が記録可能とされている。第２記録層の各層には、例えば音声、映像情報或いはコンテンツ情報等の記録情報が記録可能とされている。このように構成されているので、記録用又は再生用レーザ光は、基板、第１記録層、第２記録層の他の層、及び、第２記録層の各層の順番に照射される。より具体的には、第２記録層の各層が、記録用レーザ光が照射される方向から数えて、２層目であれば、第２記録層の他の層は存在しない。また、第２記録層の各層が、３層目であれば、第２記録層の他の層は、１層だけ存在する。更にまた、第２記録層の各層が、４層目であれば、第２記録層の他の層は、２層だけ存在する。
【００１５】
第２記録層の各層には、記録用レーザ光の最適記録パワーを検出するパワーキャリブレーション（較正）が行われる、例えば、ＯＰＣエリア等の所定領域が設けられている。
【００１６】
本実施形態では特に、第２記録層の他の層及び第１記録層には、所定領域に対向する対向領域が設けられている。この対向領域のグルーブにおける幅及び深さの少なくとも一方の第１絶対量が大きくされることによって、第２記録層の他の層及び第１記録層の光透過率を低下させることが可能である。よって、グルーブ形状によって、第２記録層の他の層及び第１記録層における未記録の対向領域の光透過率を、記録済みの対向領域の光透過率に近似させることが可能である。仮に、この対向領域の第１絶対量が大きくされていない場合、第２記録層の各層の所定領域における最適記録パワーを適切に検出するためには、後述される情報記録装置によって、レーザ光が透過する第２記録層の他の層及び第１記録層の対向領域を記録済み状態にする処理が必要となってしまう。
【００１７】
これに対して、本実施形態によれば、例えば、光ディスク等の情報記録媒体の製造時に、第２記録層の他の層及び第１記録層に設けられた対向領域の第１絶対量が大きくされることによって、対向領域における第２記録層の各層の所定領域への光透過率を、対向領域の第１絶対量が大きくされておらず且つ第２記録層の他の層及び第１記録層が未記録であると仮定した場合の光透過率と比べて、対向領域の第１絶対量が大きくされておらず且つ第２記録層の他の層及び第１記録層が記録済みであると仮定した場合の光透過率に近づけることが可能である。従って、後述される情報記録装置によって、第２記録層の各層に対してＯＰＣ処理を行う前に、第２記録層の他の層及び第１記録層を記録済みの状態にするための記録動作を省略することが可能である。以上より、より迅速且つ的確に、第２記録層の各層に対する最適記録パワーの値を検出することが可能となる。
【００１８】
尚、上述のように、対向領域における光透過率が、この第１絶対量が大きくされておらず且つ第２記録層の他の層及び第１記録層が未記録であると仮定した場合の光透過率と比べて、この第１絶対量が大きくされておらず且つ第２記録層の他の層及び第１記録層が記録済みであると仮定した場合の光透過率に近付けられているように第２記録層の他の層及び第１記録層の対向領域を形成するには、例えば、実験的、経験的又は理論的若しくはシミュレーション等により、この第１絶対量が大きくされることによって、個別具体的に、所望の光透過率が得られるようにすればよい。
【００１９】
本発明の情報記録媒体に係る実施形態の一態様では、前記対向領域では、前記第１絶対量が大きくされることによって、当該対向領域における光透過率が、前記第１絶対量が大きくされておらず且つ前記他の層及び前記第１記録層が記録済みであると仮定した場合の光透過率に等しくされている。
【００２０】
この態様によれば、第２記録層の他の層及び第１記録層を記録済みであると仮定した場合の光透過率に等しくするための記録動作を完全に省略することが可能である。ここに「等しく」とは、完全に等しいことの他、パワーキャリブレーションを行なう際に、同一視できる程度に等しい光透過率である意味を含む。
【００２１】
本発明の情報記録媒体に係る実施形態の他の態様では、前記所定領域では、グルーブにおける幅及び深さのうち少なくとも一方の第２絶対量が大きく又は小さくされることによって、前記対向領域における光透過率が、前記第２絶対量が大きく又は小さくされておらず且つ前記他の層及び前記第１記録層が未記録であると仮定した場合の光透過率と比べて、前記第２絶対量が大きく又は小さくされておらず且つ前記他の層及び前記第１記録層が記録済みであると仮定した場合の光透過率に近付けられている。
【００２２】
この態様によれば、第２記録層の各層の所定領域のグルーブにおける幅及び深さの少なくとも一方の第２絶対量が大きく又は小さくされることによって、第２記録層の各層のアシンメトリー値を低下させている。即ち、第２記録層の各層の所定領域に照射されたレーザ光が、記録済みの第２記録層の他の層及び第１記録層を透過した場合と同様に、第２記録層の各層のアシンメトリー値を低下させた状態を擬似的に形成することが可能である。
【００２３】
従って、後述される情報記録装置によって、第２記録層の各層に対してＯＰＣ処理を行う前に、第２記録層の他の層及び第１記録層を記録済みの状態にするための記録動作を省略することが可能である。以上より、より迅速且つ的確に、第２記録層の各層に対する最適記録パワーの値を検出することが可能となる。
【００２４】
この態様では、前記所定領域では、前記第２絶対量が大きく又は小さくされることによって、前記対向領域における光透過率が、前記第２絶対量が大きく又は小さくされておらず且つ前記他の層及び前記第１記録層が記録済みであると仮定した場合の光透過率に等しくされている。
【００２５】
このように構成すれば、第２記録層の他の層及び第１記録層を記録済みであると仮定した場合の光透過率に等しくするための記録動作を完全に省略することが可能である。
【００２６】
この態様では、前記第２記録層の各層は、第２色素膜を更に備え、前記所定領域では、前記第２色素膜が厚く又は薄く形成されることによって、前記対向領域における光透過率が、前記第２色素膜が厚く又は薄く形成されておらず且つ前記他の層及び前記第１記録層が未記録であると仮定した場合の光透過率と比べて、前記第２色素膜が厚く又は薄く形成されておらず且つ前記他の層及び前記第１記録層が記録済みであると仮定した場合の光透過率に近付けられている。
【００２７】
このように構成すれば、第２記録層の各層のグルーブにおける幅の第２絶対量を大きくさせるとグルーブの第２色素膜が厚く形成されるため、第２記録層の各層におけるアシンメトリー値は一般的に低下する傾向にある。他方、第２記録層の各層のグルーブにおける深さの第２絶対量を大きくさせるとグルーブの第２色素膜が薄く形成されるため、第２記録層の各層におけるアシンメトリー値は一般的に増加する傾向にある。
【００２８】
以上より、第２色素膜が厚く又は薄く形成されることによって、第２記録層の各層の所定領域に照射されたレーザ光が、記録済みの第２記録層の他の層及び第１記録層を透過した場合と同様に、第２記録層の各層のアシンメトリー値を低下させた状態を擬似的により的確に形成することが可能である。
【００２９】
本発明の情報記録媒体に係る実施形態の他の態様では、前記他の層及び前記第１記録層は、第１色素膜を更に備え、前記対向領域では、前記第１色素膜が厚く又は薄く形成されることによって、当該対向領域における光透過率が、前記第１色素膜が厚く又は薄く形成されておらず且つ前記他の層及び前記第１記録層が未記録であると仮定した場合の光透過率と比べて、前記第１色素膜が厚く又は薄く形成されておらず且つ前記他の層及び前記第１記録層が記録済みであると仮定した場合の光透過率に近付けられている。
【００３０】
この態様によれば、第２記録層の他の層及び第１記録層のグルーブにおける幅の第１絶対量を大きくさせるとこのグルーブの第１色素膜が厚く形成されるため、第２記録層の他の層及び第１記録層における光透過率は一般的に低下する傾向にある。他方、第２記録層の他の層及び第１記録層のグルーブにおける深さの第１絶対量を大きくさせるとグルーブの第１色素膜が厚く形成されるため、第２記録層の他の層及び第１記録層における光透過率は一般的に低下する傾向にある。
【００３１】
以上より、第１色素膜が厚く又は薄く形成されることによって、未記録の第２記録層の他の層及び第１記録層の光透過率を記録済みの第２記録層の他の層及び第１記録層の光透過率により的確に近似させることが可能である。
【００３２】
本発明の情報記録媒体に係る実施形態の他の態様では、前記所定領域は、前記対向領域よりも小さい領域である。
【００３３】
この態様によれば、第２記録層の各層におけるＯＰＣ処理が行われる所定領域を、対向する第２記録層の他の層及び第１記録層における対向領域より小さくするので、二層型の光ディスクにおける層間での偏心の影響やレーザ光の広がり等のためのマージンを確保することが可能となるので、より適切に、第２記録層の各層に対する最適記録パワーの値を検出することが可能となる。
【００３４】
本発明の情報記録媒体に係る実施形態の他の態様では、前記第１記録層及び前記第２記録層の各層のうち少なくとも一つは、管理情報を記録する管理情報記録領域を更に有し、前記管理情報記録領域には、前記管理情報として、前記第１絶対量及び前記第２絶対量のうち少なくとも一方が大きく又は小さくされているか否かを識別する識別情報が記録されている。
【００３５】
この態様によれば、例えば、フラグ等の識別情報が、後述される情報記録装置によって、例えばシーク動作によって、読み取られるので、より迅速且つ的確に情報記録媒体に適したＯＰＣ処理を実現することが可能となる。
【００３６】
本発明の情報記録媒体に係る実施形態の他の態様では、前記他の層及び前記第１記録層は、前記対向領域と異なる領域に、前記他の層及び前記第１記録層に対する前記パワーキャリブレーションが行われる第１所定領域を夫々有する。
【００３７】
この態様によれば、第２記録層の各層に設けられた所定領域では、対向領域を介して、当該第２記録層の各層に対するパワーキャリブレーションが行なわれる。他方、第２記録層の他の層及び第１記録層に設けられた第１所定領域では、当該第２記録層の他の層及び第１記録層に対するパワーキャリブレーションが行なわれる。
【００３８】
より具体的には、対向領域と第１所定領域とは、例えば、半径方向に相互にずらされていて重ならないように構成されている。よって、所定領域に試し書きする際のレーザ光は、例えば、第２記録層の他の層及び第１記録層に設けられた対向領域又は未記録の領域を透過するので、第１所定領域を通過しない。このため、第１所定領域における状態、即ち、試し書き情報によって記録済み状態又は未記録状態による影響を受けて、第２記録層の各層の所定領域における試し書きが不正確になる事態を未然防止することが可能となる。
【００３９】
仮に、対向領域と第１所定領域とが、例えば、重なってしまい、異ならない場合、対向領域においては、第１所定領域の影響によって光透過率等の光学特性が変化するので、これを介して行なわれる所定領域における試し書きは、多かれ少なかれ不正確となってしまうのである。
【００４０】
本発明の情報記録媒体に係る実施形態の他の態様では、前記第２記録層の各層は、前記所定領域と異なる領域であって、前記対向領域に対向しない領域に、前記第２記録層の各層に対する前記パワーキャリブレーションが行われる第２所定領域を夫々有する。
【００４１】
この態様によれば、第２記録層の各層は、第２記録層の他の層及び第１記録層の未記録状態である部分を透過した記録用レーザ光によってパワーキャリブレーションを行なうために、更に第２所定領域を有する。よって、第２記録層の他の層及び第１記録層の記録状態に対応した最適記録パワーの値の検出が実現可能となる。
【００４２】
本発明の情報記録媒体に係る実施形態の他の態様では、前記第１記録層及び第２記録層の各層のうち少なくとも一つは、前記検出された最適記録パワーの値を記録する管理領域を更に有する。
【００４３】
この態様によれば、後述される情報記録装置による記録動作の度に、或いは、第１記録層及び第２記録層の各層に対して同時にＯＰＣ処理が行われる。そして、このＯＰＣ処理によって検出された各記録層に対する最適記録パワーの値が管理領域に記録される。そして、この管理領域に記録された最適記録パワーの値が読み出されることによって、より的確且つ迅速な記録動作を実現することが可能となる。
【００４４】
尚、この最適記録パワーの値は、情報記録媒体における管理領域へ記録される代わりに、後述される情報記録装置内の例えば、メモリ等の記憶装置によって記憶されてもよい。
【００４５】
（情報記録装置に係る実施形態）
以下、本発明の実施形態に係る情報記録装置について説明する。
【００４６】
本発明の情報記録装置に係る実施形態は、請求項１から１１のいずれか一項に記載の情報記録媒体に、前記記録情報を記録するための情報記録装置であって、前記記録用レーザ光を前記第１記録層に集光するように照射することで前記第１記録層に対して前記記録情報の少なくとも他の一部である試し書き情報を書き込み、前記記録用レーザ光を前記第２記録層の各層に集光するように照射することで前記第２記録層の各層に対して前記試し書き情報を書き込むための書込手段と、（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御手段とを備える。
【００４７】
本発明の情報記録装置に係る実施形態によれば、例えばＣＰＵ（Central Processing Unit）等を含んでなる試し書き制御手段による制御下で、上述した本発明に係る情報記録媒体に係る実施形態に対して、少なくとも２つの記録層に対するＯＰＣ処理を、例えば光ピックアップ等を含んでなる書込手段によって、効率的に行なうことができる。
【００４８】
即ち、例えば、光ディスク等の情報記録媒体の製造時に第２記録層の他の層及び第１記録層に設けられた対向領域のグルーブにおける幅及び深さの少なくとも一方の第１絶対量が大きくされることによって、対向領域における所定領域への光透過率を低下させることが可能である。よって、グルーブ形状によって、第２記録層の他の層及び第１記録層における未記録の対向領域の光透過率を、記録済みの対向領域の光透過率に近似させることが可能である。従って、試し書き制御手段の制御下で、書込手段によって、第２記録層の各層に対してＯＰＣ処理を行う前に、第２記録層の他の層及び第１記録層を記録済みの状態にするための記録動作を、適宜場合に応じて、省略することが可能となる。よって、本実施形態の情報記録装置によれば、より迅速且つ的確に、第２記録層の各層に対する最適記録パワーの値を検出することが可能となる。
【００４９】
尚、本発明の情報記録装置に係る実施形態においても、上述した本発明の情報記録媒体に係る実施形態についての各種態様と同様の態様を適宜採ることが可能である。
【００５０】
（情報記録方法に係る実施形態）
以下、本発明の実施形態に係る情報記録方法について説明する。
【００５１】
本発明の情報記録方法に係る実施形態は、請求項１から１１のいずれか一項に記載の情報記録媒体に、前記記録情報を記録するために、前記記録情報の少なくとも他の一部である試し書き情報を書き込むための書込手段を備えた情報記録装置における情報記録方法であって、（Ｉ）前記対向領域を介して、前記所定領域において、前記第２記録層の各層に対する前記記録用レーザ光のパワーキャリブレーションのための前記試し書き情報を試し書きすると共に、（ＩＩ）前記対向領域と異なる領域に有される第１所定領域において、前記他の層及び前記第１記録層に対する前記記録用レーザ光のパワーキャリブレーションのための前記試し書き情報を試し書きするように前記書込手段を制御する試し書き制御工程とを備える。
【００５２】
本発明の情報記録方法に係る実施形態によれば、上述した本発明の情報記録装置に係る実施形態の場合と同様に、試し書き制御工程の制御下で、第２記録層の各層に対してＯＰＣ処理を行う前に、第２記録層の他の層及び第１記録層を記録済みの状態にするための記録動作を、適宜場合に応じて、省略することが可能となる。よって、本実施形態の情報記録方法によれば、より迅速且つ的確に、第２記録層の各層に対する最適記録パワーの値を検出することが可能となる。
【００５３】
尚、本発明の情報記録方法に係る実施形態においても、上述した本発明の情報記録装置に係る実施形態についての各種態様と同様の態様を適宜採ることが可能である。
【００５４】
本実施形態のこのような作用及び他の利得は次に説明する実施例から更に明らかにされる。
【００５５】
以上説明したように、本発明の情報記録媒体に係る実施形態によれば、グルーブにおける幅及び深さの少なくとも一方の第１絶対量が大きくされることによって、光透過率を低下させることが可能な対向領域が設けられた第１記録層及び第２記録層の他の層、並びに、所定領域が設けられた第２記録層の各層を備えるので、より迅速且つ的確に、第２記録層の各層に対する最適記録パワーの値を検出することが可能となる。また、本発明の情報記録装置及び方法に係る実施形態によれば、書込手段、並びに、試し書き制御手段及び工程を備えているので、より迅速且つ的確に、第２記録層の各層に対する最適記録パワーの値を検出することが可能となる。
【実施例】
【００５６】
（情報記録媒体の第１実施例）
次に、図1から図１２を参照して、本発明の情報記録媒体の第１実施例に係る光ディスクについて図面に基づいて詳細に説明する。尚、説明の便宜上、図１及び図２においては、レーザ光は、上側から下側へ向けて、照射されている。よって、Ｌ０層（第１記録層）は、上側に位置している。他方、図７、図１０、図１１及び図１３においては、レーザ光は、下側から上側へ向けて照射されている。よって、Ｌ０層（第１記録層）は、下側に位置している。
【００５７】
先ず、図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。
【００５８】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。特に、例えば、リードインエリア１０１には、ＯＰＣ処理を行うＯＰＣエリアＰＣＡ０又はＰＣＡ１が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。
【００５９】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。
【００６０】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーシングルサイドに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００６１】
尚、２層型光ディスクにおける記録再生手順は、例えば二つの記録層の間でトラックパスの方向が逆向きであるオポジット方式でもよいし、例えば二つの記録層の間でトラックパスの方向が同一であるパラレル方式でもよい。
【００６２】
次に図２を参照して、本発明の情報記録媒体の第１実施例に係る光ディスクの物理的構成の概略について説明する。より具体的には、第１実施例に係る光ディスク１００では、複数のデータゾーン１０２等が例えば積層構造に形成される２層型の光ディスクとして構成されている。ここに、図２は、本発明の情報記録媒体の第１実施例に係る光ディスクの記録面における部分拡大斜視図である。
【００６３】
図２に示されるように、第１実施例では、光ディスク１００は、ディスク状の透明基板１０６に面して下側に、情報記録面を構成する相変化型又は加熱などによる非可逆変化記録型の第１記録層（Ｌ０層）１０７が積層され、更にその下側に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。
【００６４】
第１実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。
【００６５】
第１実施例では特に、半透過反射膜１０８に面して下側に、第２記録層（Ｌ１層）２０７が形成され、更にその下側に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に積層、即ち、成膜形成してもよいし、別基板上に積層、即ち、成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。
【００６６】
このような二層型の光ディスク１００の記録再生時には、レーザ光ＬＢの集光位置、即ち、フォーカスをいずれの記録層に合わせるかに応じて、第１記録層１０７における記録再生が行なわれるか又は第２記録層２０７における記録再生が行われる。
【００６７】
次に、図３から図６を参照して、本発明の情報記録媒体の第１実施例に係る光ディスクを記録対象とした最適記録パワーを検出するＯＰＣ処理、即ち記録レーザパワーのキャリブレーションについて説明する。ここに「最適記録パワー」とは、文字通り情報の記録に最も適したレーザパワーを示すことに限らず、記録時においてより適切に情報を記録することできる程度のレーザパワーをも含んだ広い趣旨である。より具体的には、アシンメトリーの影響を最小にし、例えば記録特性の品質を表すジッタ値が最小付近となるような最も優れた再生品質が得られるように記録するための記録レーザパワーである。また、「アシンメトリー（Ａｓｙｍｍｅｔｒｙ）」とは、光ディスクの量産時に短ピット又は長ピットがその長さ方向の前後に同じ量だけ、少しずつ長く、或いは短くなる現象である。本実施例では、後述される「アシンメトリー値」によってこのアシンメトリーの影響の度合いが定量的に示される。ここに、図３は、本発明の情報記録媒体の第１実施例に係る光ディスクを対象とした最適記録パワーを検出するＯＰＣ処理（１１パワーステップの場合）を示した模式的タイミングチャート図である。ここに、「パワーステップ」とは、ＯＰＣ処理において、最適記録パワーを検出するために、記録レーザの光強度（パワー）を切り換える段階のことである。図４は、本発明の情報記録媒体の第１実施例に係る光ディスクを対象とした最適記録パワーを検出するＯＰＣ処理（１１パワーステップの場合）における再生ＲＦ信号を示した図式的概念図である。図５は、本発明の情報記録媒体の第１実施例に係る光ディスクを対象とした最適記録パワーを検出するＯＰＣ処理（１１パワーステップの場合）におけるパワーステップ毎のアシンメトリー値をプロットしたグラフ図である。図６は、本発明の情報記録媒体の第１実施例に係る光ディスクを対象とした最適記録パワーを検出するＯＰＣ処理のうち、一つのパワーステップの詳細を示した波形図である。
【００６８】
図３において、グラフ（ａ）の縦軸は、記録レーザパワーの値を示し、横軸は、パワーステップごとに時分割された時間軸を示す。グラフ（ｂ）は、生成された記録レーザが、例えば２Ｔパルスの短ピットパルス用と、例えば８Ｔパルスの長ピットパルス用とに交互に切り換えられて照射される時間区間を示す。グラフ（ｃ）は、例えば１１個の異なるレーザパワーのキャリブレーションのために記録レーザが照射されるタイミングを矢印で示す。グラフ（ｄ）の縦軸は、再生ＲＦ信号の振幅電圧を示す。グラフ（ｅ）は、再生ＲＦ信号の振幅中心電圧を算出するためのサンプリングタイミングを矢印で示す。
【００６９】
本実施例においては、光ディスクのＯＰＣエリアには、図３のグラフ（ａ）で示されるように、キャリブレーション用の記録レーザが、例えば１１個のパワーステップごとに時分割されて、１１個の異なるレーザパワーで照射される。この際、各パワーステップにおいて、例えば、２―３変調した信号の最短ピットと最長ピットのテスト信号である例えば２Ｔパルスの短ピットパルスと、例えば８Ｔパルスの長ピットパルスとが交互に切換えられて生成された記録レーザが照射され、記録が行われる。ここでは、図３に示したように、一つのパワーステップの前半が、短ピットパルスを記録するための時間に割り当てられ、“短ピット区間”とされる。他方、該一つのパワーステップの後半が、長ピットパルスを記録するための時間に割り当てられ、“長ピット区間”とされる。尚、図４に示されるように、一回のＯＰＣ処理は、前述したように、ランドプリピット（Land Pre Pit）を基準とした時間軸に対して、ＲＦ信号が再生される。
【００７０】
図５に示されるように、本実施例では、“アシンメトリー値＝０”となるパワーステップに対応するレーザパワーが最適記録パワーとして決定される。尚、図５の縦軸は、このようなアシンメトリー値“ｅ−ｆ”を示し、横軸はパワーステップを示す。矢印は、“ｅ＝ｆ”となり、“アシンメトリー値＝０”となるパワーステップを示す。
【００７１】
以上のように本実施例における最適記録パワーの検出、即ち、記録レーザパワーのキャリブレーション（較正）は、“アシンメトリー値＝０”となるパワーステップに対応する最適記録パワーを求めることとして実施される。特に、ＯＰＣパターンの記録時とＯＰＣパターンの再生時とでは、所定の基準によって、両者間のタイミング合わせが可能とされている。尚、１回のＯＰＣ処理におけるパワーステップの数は、１１個に限らず、例えば１０〜２０個程度でもよい。或いは、それ以下でもよいし、それ以上でもよい。また、本実施例では、２Ｔマークと８Ｔマークとを用いてＯＰＣパターンを構成しているが、これら以外の３Ｔマーク、７Ｔマーク等を用いることも可能である。
【００７２】
次に、図６に示されるように、本実施例では、各パワーステップについて、一つの短ピット区間に複数個（図６では、５個）の２Ｔマークが２Ｔパルスによって記録され、一つの長ピット区間に複数個（図６では、２個）の８Ｔマークが８Ｔパルスによって記録される。このような短ピット区間と長ピット区間との一対が、即ち、所定パターンを有する複数のＯＰＣピットが、「ＯＰＣパターン」とされる。図６に示した如きＯＰＣパターンが、レーザパワーが順次切り替えられつつ、パワーステップの回数だけ（即ち１１回）繰り返し記録されることで、１回のＯＰＣ処理が完了する。
【００７３】
以上の如き１回のＯＰＣ処理によって、図６に示した如き各パワーステップに対するＯＰＣパターンの記録が１１パワーステップについて完了すると、その後、これを再生する処理が行われる。具体的には、１１パワーステップ分のＯＰＣパターンの記録完了後に、ＯＰＣエリアに照射されるレーザが、記録レーザから再生レーザへと切り替えられ（例えば、レーザパワーが記録レーザパワーと比べて顕著に弱い再生レーザパワーへと変えられ）、該再生レーザの照射によって、エンベロープ検波等を含む再生処理が次のように行われる。
【００７４】
ＯＰＣ処理における再生時には、例えば短ピット区間に形成されたＯＰＣピット（即ち、２Ｔマーク）に対応する再生ＲＦ信号のエンベロープのピーク値とボトム値が図３のグラフ（ｅ）で示されたサンプリングタイミングでサンプリングされ、振幅中心電圧が算出される。グラフ（ｅ）では、この算出された振幅中心電圧の各パワーステップの値が黒丸でプロットされ、それらの値を結んだ補間線が黒線で示されている。同様にして、例えば長ピット区間に形成されたＯＰＣピット（即ち、８Ｔマーク）に対応する再生ＲＦ信号の算出された振幅中心電圧の各パワーステップの値が白丸でプロットされ、それらの値を結んだ補間線が点線で示されている。この２つの補間線の交点が二重丸で示され、この交点に対応するパワーステップのレーザパワーが、最適記録パワーとして決定される。
【００７５】
より詳細には、図６に示すように、短ピット区間に再生される再生ＲＦ信号のエンベロープのピーク値を“ａ”とし、ボトム値を“ｂ”とする。尚、“ａ”と“ｂ”は、前述のように、サンプリングタイミング時に収集される。この両者の平均値、即ち、算出された振幅中心電圧を“ｅ”とする。即ち“ｅ＝（ａ＋ｂ）／２”である。同様にして、長ピット区間に再生される再生ＲＦ信号のエンベロープのピーク値を“ｃ”、ボトム値を“ｄ”、そして、算出された振幅中心電圧を“ｆ＝（ｃ＋ｄ）／２”とする。
【００７６】
本実施例では、アシンメトリーの影響の度合いを“ｅ”と“ｆ”との比較によって判定する。図６においては、振幅中心電圧“ｅ”が“ｆ”より大きく両者は一致していない。即ち、前述した「アシンメトリー値」を“ｅ−ｆ”と定義する。そして、“ｅ＝ｆ”となり、“アシンメトリー値＝０”となるパワーステップに対応するレーザパワーを最適記録パワーと決定する。
【００７７】
次に、図７から図１２を参照して、本発明の情報記録媒体の第１実施例に係る２層型光ディスクのＬ１層を記録対象とした最適記録パワーを検出するＯＰＣ処理の原理について説明する。
【００７８】
先ず、図７及び図８を参照して、本発明の情報記録媒体の第１実施例に係る２層型光ディスクの詳細構造、及び、Ｌ１層を記録対象とした最適記録パワーを検出するＯＰＣ処理の概略原理について説明する。ここに、図７は、本発明の情報記録媒体の第１実施例に係る２層型光ディスクのＯＰＣ処理において使用されるＯＰＣエリアの物理的構造を拡大した図式的断面図である。図８は、本発明の情報記録媒体の第１実施例に係る２層型光ディスクのＬ０層が未記録の場合、並びに、Ｌ０層のグルーブにおける幅及び深さの少なくとも一方の絶対量が大きくされ、未記録状態のＬ０層の光透過率が低下されて記録済みのＬ０層の光透過率に近似された場合のＬ１層を記録対象とした記録パワーと、Ｌ１層におけるアシンメトリー値との関係を示したグラフである。
【００７９】
図７に示されるように、光ディスク１００は、２層の記録層、即ち、Ｌ０層（即ち、図１及び図２における第１記録層１０７に相当する記録層）とＬ１層（即ち、図１及び図２における第２記録層２０７に相当する記録層）とを有している。尚、説明の便宜上、記録用レーザ光ＬＢは、図１及び図２とは逆に下側から上側へ向かって照射されている。
【００８０】
Ｌ０層には、例えば、リードインエリア内に、本発明に係る「対向領域」の一例を構成するグルーブにおける幅及び深さの少なくとも一方の絶対量が大きくされた透過エリアＴＡ、並びに、未記録状態のＴＡ０−２が設けられている。
【００８１】
他方、Ｌ１層には、例えば、リードインエリア内に、ＯＰＣエリアＰＣＡ１が設けられている。そして、ＯＰＣエリアＰＣＡ１には、更に、本発明に係る「所定領域」の一例を構成するＯＰＣエリアＰＣＡ１−１及びＰＣＡ１−２が設けられている。
【００８２】
詳細には、ＯＰＣエリアＰＣＡ１は、最適記録パワーの検出（即ち、記録レーザパワーのキャリブレーション）処理、所謂ＯＰＣ処理に用いられる領域である。特に、ＯＰＣエリアＰＣＡ１は、Ｌ１層の最適な記録レーザパワーの検出のために用いられる。より詳細には、ＯＰＣパターンの試し書きの完了後には、試し書きされたＯＰＣパターンが再生され、再生されたＯＰＣパターンのサンプリングが順次行われて、最適記録パワーが検出される。また、ＯＰＣ処理により求めた最適記録パワーの値が例えば、情報記録装置側に設けられた後述されるメモリ等の記憶装置内に格納されてもよいし、情報記録媒体における管理情報記録領域等に記録されていてもよい、或いは、記録動作の度にＯＰＣ処理が行われてもよい。
【００８３】
そして、Ｌ０層及びＬ１層に対して、後述される情報記録再生装置の光ピックアップによって、ＯＰＣ処理のためのレーザ光ＬＢは、図示しない基板の側から、即ち、図３中の下側から上側に向けて照射され、その焦点距離等が制御されると共に、光ディスク１００の半径方向における移動距離及び方向が制御される。
【００８４】
図８に示されるように、特に、本発明の情報記録媒体の第１実施例に係る２層型光ディスクでは、例えば製造時において、Ｌ０層の透過エリアＴＡのグルーブにおける幅及び深さの少なくとも一方の絶対量を大きくさせ、Ｌ０層の光透過率を低下させることが可能である。よって、グルーブ形状によって、未記録のＬ０層の光透過率を記録済みのＬ０層の光透過率に近似させることが可能である。従って、Ｌ１層のＯＰＣエリアＰＣＡ１−１におけるＯＰＣ処理の結果、Ｌ０層が記録済みである場合の最適記録パワーの値は２０（ｍＷ）であると擬似的に検出可能である。
【００８５】
従って、情報記録装置によって、Ｌ１層に対してＯＰＣ処理を行う前に、Ｌ０層を記録済みの状態にするための記録動作を省略することが可能である。以上より、より迅速且つ的確に、Ｌ１層に対する最適記録パワーの値を検出することが可能となる。
【００８６】
他方、Ｌ０層が未記録である場合に対応したＬ１層に対する最適記録パワーの値は、Ｌ０層が未記録状態の透過エリアＴＡ０−２を記録用レーザ光ＬＢが透過され、Ｌ１層のＯＰＣエリアＰＣＡ１−２に照射されることによって、１８（ｍＷ）と検出可能である。
【００８７】
次に、図９及び図１０に加えて前述した図８を適宜参照して、本発明の情報記録媒体の第１実施例に係る２層型光ディスクのＬ０層のグルーブにおける幅及び深さに加えて色素膜の厚さの絶対量とＬ０層における光透過率との相関関係について詳細に説明する。ここに、図９は、本発明の情報記録媒体の第１実施例に係る２層型光ディスクのＬ０層のグルーブにおける幅と、色素膜の厚さと、記録パワー及び記録パルスを一定とした条件下でのＬ０層における光透過率との相関関係を示したグラフ（図９（ａ））、及び、本発明の情報記録媒体の第１実施例に係る２層型光ディスクのＬ０層のグルーブにおける深さと、色素膜の厚さと、記録パワー及び記録パルスを一定とした条件下でのＬ０層における光透過率との相関関係を示したグラフ（図９（ｂ））である。尚、ひし形でプロットされた直線は、Ｌ０層のグルーブにおける幅又は深さの絶対量が増減されても色素膜厚が同一の場合の相関関係を示す。また、四角でプロットされた直線は、Ｌ０層のグルーブにおける幅又は深さの絶対量が増減されるに伴って色素膜厚が変化する場合の相関関係を示す。図１０は、本発明の情報記録媒体の第１実施例に係る２層型光ディスクのＬ０層（Ｌ１層）のグルーブにおける幅又は深さに加えて色素膜の厚さの絶対量が変化された場合のＬ０層（Ｌ１層）の物理的構造を示した図式的な断面図である。
【００８８】
図９（ａ）のグラフ、及び、図１０（ｂ）の物理的構造の断面図に示されるように、Ｌ０層のグルーブにおける幅を広くさせる、即ち、幅の絶対量を大きくさせるとグルーブに溜まる色素が増加するため、Ｌ０層における光透過率は一般的に低下する傾向にある。より詳細には、図１０（ｃ）に示されるように、スピンコート工程によって色素はコーティングされているので、グルーブにおける幅が広い場所の色素膜厚は、グルーブにおける幅が通常の場所（図１０（ａ）を参照）と比較して、薄くなる場合もある。この場合は光透過率の低下率は小さくなる。
【００８９】
より具体的には、図９（ａ）の「Ａ」点においては、Ｌ０層のグルーブにおける幅の絶対量は、例えば、０．３（μｍ）であることが示されている。「Ｂ１」点、及び、「Ｂ２」点においては、Ｌ０層のグルーブにおける幅を、「Ａ」点よりも、０．０８又は０．１６（μｍ）程度大きくさせることで、「Ａ」点の光透過率よりも１０％程度低下させていることが示されている。
【００９０】
他方、図９（ｂ）の四角でプロットされた直線のグラフ、及び、図１０（ｅ）の物理的構造の断面図に示されるように、Ｌ０層のグルーブにおける深さの絶対量を大きくさせるとグルーブに溜まる色素が増加するため、Ｌ０層における光透過率は一般的に低下する傾向にある。より詳細には、図１０（ｅ）に示されるように、スピンコート工程によって色素はコーティングされているので、グルーブにおける深さの絶対量を大きくさせた場所の色素膜厚は、グルーブにおける深さが通常の場所（図１０（ａ）を参照）と比較して、厚くなる傾向がある。この場合、光透過率は低下する。但し、図９（ｂ）のひし形でプロットされた水平直線のグラフ、及び、図１０（ｄ）の物理的構造の断面図に示されるように、色素膜厚が同一の場合、グルーブにおける深さの絶対量を大きくさせても、Ｌ０層の光透過率は変化しにくい傾向にある。
【００９１】
より具体的には、図９（ｂ）の「Ａ」点においては、Ｌ０層のグルーブにおける深さの絶対量は、例えば、０．１５（μｍ）であることが示されている。「Ｂ３」点においては、Ｌ０層のグルーブにおける深さを、「Ａ」点よりも、０．０３（μｍ）程度大きくさせることで、「Ａ」点の光透過率よりも１０％程度低下させていることが示されている。従って、Ｌ１層に記録する時に実際にＬ１層まで届くレーザパワーも１０％程度低下されることが可能となる。
【００９２】
上述した図９（ａ）及び図９（ｂ）をまとめると、前述した図８に示されるように、「Ａ」点から「Ｂ」点へと、Ｌ０層の光透過率を低下させることが可能となる。
【００９３】
以上より、本発明の情報記録媒体の第１実施例に係る２層型光ディスクでは、例えば製造時において、Ｌ０層の透過エリアＴＡのグルーブにおける幅及び深さの少なくとも一方の絶対量を大きくさせ、Ｌ０層の光透過率を低下させることが可能である。よって、グルーブ形状によって、未記録のＬ０層の光透過率を記録済みのＬ０層の光透過率に近似させることが可能である。従って、前述した図８に示されるように、Ｌ１層のＯＰＣエリアＰＣＡ１−１におけるＯＰＣ処理の結果、Ｌ０層が記録済みである場合の最適記録パワーの値は２０（ｍＷ）であると擬似的に検出可能である。
【００９４】
従って、情報記録装置によって、Ｌ１層に対してＯＰＣ処理を行う前に、Ｌ０層を記録済みの状態にするための記録動作を省略することが可能である。以上より、より迅速且つ的確に、Ｌ１層に対する最適記録パワーの値を検出することが可能となる。
【００９５】
次に、比較例を示した図１１及び図１２を参照して本発明の情報記録媒体の第１実施例に係る２層型光ディスクの作用効果について検討を加える。ここに、図１１は、比較例に係る２層型光ディスクのＯＰＣ処理において使用されるＯＰＣエリアの物理的構造を拡大した図式的断面図である。図１２は、比較例に係る２層型光ディスクのＬ０層が未記録の場合、並びに、Ｌ０層が記録済みの場合のＬ１層を記録対象とした記録パワーと、記録パワー及び記録パルスを一定とした条件下でのＬ１層におけるアシンメトリー値との関係を示したグラフである。
【００９６】
先ず、図１１に示されるように、比較例においては、Ｌ０層には、例えば、リードインエリア内に、記録済み状態の透過エリアＴＡ０−１、及び、未記録状態の透過エリアＴＡ０−２が設けられている。
【００９７】
他方、Ｌ１層には、例えば、リードインエリア内に、前述した第１実施例と同様に、ＯＰＣエリアＰＣＡ１が設けられている。
【００９８】
以上のように構成されているため、そのＯＰＣ処理においては、図１２に示されるように、Ｌ０層が記録済みである場合、Ｌ０層における光透過率は低下する傾向にあるので、Ｌ０層が記録済みである場合のＬ１層における最適記録パワーは、Ｌ０層が未記録である場合のＬ１層における最適記録パワーと比較して２（ｍＷ）程度大きくなることが分かる。
【００９９】
上述したように、Ｌ１層のＯＰＣエリアＰＣＡ１−１に対向するＬ０層の透過エリアＴＡ０−１が記録済みである場合と、未記録である場合とで、最適記録パワーが異なるため、Ｌ１層のＯＰＣエリアＰＣＡ１−１における最適記録パワーを適切に検出するためには、後述される情報記録装置によって、レーザ光が透過するＬ０層の透過エリアＴＡ０−１を記録済み状態にする処理が必要となってしまう。
【０１００】
これに対して、本発明の情報記録媒体の第１実施例に係る２層型光ディスクでは、前述したように、例えば製造時において、Ｌ０層の透過エリアＴＡのグルーブにおける幅及び深さの少なくとも一方の絶対量を大きくさせ、Ｌ０層の光透過率を低下させることが可能である。よって、グルーブ形状によって、未記録のＬ０層の光透過率を記録済みのＬ０層の光透過率に近似させることが可能である。従って、情報記録装置によって、Ｌ１層に対してＯＰＣ処理を行う前に、Ｌ０層を記録済みの状態にするための記録動作を省略することが可能である。以上より、より迅速且つ的確に、Ｌ１層に対する最適記録パワーの値を検出することが可能となる。
【０１０１】
（情報記録媒体の第２実施例）
次に、図１３から図１５に加えて前述した図１０を適宜参照して、本発明の情報記録媒体の第２実施例に係る２層型光ディスクのＬ１層を記録対象とした最適記録パワーを検出するＯＰＣ処理の原理について説明する。ここに、図１３は、本発明の情報記録媒体の第２実施例に係る２層型光ディスクのＯＰＣ処理において使用されるＯＰＣエリアの物理的構造を拡大した図式的断面図である。図１４は、本発明の情報記録媒体の第２実施例に係る２層型光ディスクのＬ０層が未記録の場合、並びに、Ｌ１層のグルーブにおける幅及び深さの少なくとも一方の絶対量が大きくされた場合のＬ１層を記録対象とした記録パワーと、Ｌ１層におけるアシンメトリー値との関係を示したグラフである。
【０１０２】
本発明の情報記録媒体の第２実施例における基本構造及びＯＰＣ処理は、図１から図１２を参照して説明した第１実施例と概ね同様である。
【０１０３】
図１３及び図１４に示されるように、特に、本発明の情報記録媒体の第２実施例に係る２層型光ディスクでは、例えば製造時において、Ｌ１層のＯＰＣエリアＰＣＡ１−３のグルーブにおける幅及び深さの少なくとも一方の絶対量が大きく又は小さくされることによって、Ｌ１層のアシンメトリー値を低下させている。即ち、Ｌ１層のＯＰＣエリアＰＣＡ１−３に照射されたレーザ光ＬＢが記録済みのＬ０層を透過した場合と同様に、Ｌ１層のアシンメトリー値を低下させた状態を擬似的に形成することが可能である。尚、本発明に係る「所定領域」の他の一例が、ＯＰＣエリアＰＣＡ１−３によって構成されている。よって、Ｌ１層のＯＰＣエリアＰＣＡ１−３におけるＯＰＣ処理の結果、Ｌ０層が記録済みである場合の最適記録パワーの値は２０（ｍＷ）であると擬似的に検出可能である。
【０１０４】
従って、情報記録装置によって、Ｌ１層に対してＯＰＣ処理を行う前に、Ｌ０層を記録済みの状態にするための記録動作を省略することが可能である。以上より、より迅速且つ的確に、Ｌ１層に対する最適記録パワーの値を検出することが可能となる。
【０１０５】
他方、第１実施例と同様にして、Ｌ０層が未記録である場合に対応したＬ１層に対する最適記録パワーの値は、Ｌ０層が未記録状態の透過エリアＴＡ０−２を記録用レーザ光ＬＢが透過され、Ｌ１層のＯＰＣエリアＰＣＡ１−２に照射されることによって、１８（ｍＷ）と検出可能である。
【０１０６】
次に、図１５及び前述した図１０に加えて前述した図１４を適宜参照して、本発明の情報記録媒体の第２実施例に係る２層型光ディスクのＬ１層のグルーブにおける幅及び深さに加えて色素膜の厚さの絶対量とＬ１層におけるアシンメトリー値との相関関係について詳細に説明する。ここに、図１５は、本発明の情報記録媒体の第２実施例に係る２層型光ディスクのＬ１層のグルーブにおける幅と、色素膜の厚さと、記録パワー及び記録パルスを一定とした条件下でのＬ１層におけるアシンメトリー値との相関関係を示したグラフ（図１５（ａ））、及び、本発明の情報記録媒体の第２実施例に係る２層型光ディスクのＬ１層のグルーブにおける深さと、色素膜の厚さと、記録パワー及び記録パルスを一定とした条件下でのＬ１層におけるアシンメトリー値との相関関係を示したグラフ（図１５（ｂ））である。尚、ひし形でプロットされた直線は、Ｌ１層のグルーブにおける幅又は深さの絶対量が増減されても色素膜厚が同一の場合の相関関係を示す。また、四角でプロットされた直線は、Ｌ１層のグルーブにおける幅又は深さの絶対量が増減されるに伴って色素膜厚が変化する場合の相関関係を示す。
【０１０７】
図１５（ａ）のグラフ、及び、図１０（ｂ）の物理的構造の断面図に示されるように、Ｌ１層のグルーブにおける幅を広くさせる、即ち、幅の絶対量を大きくさせるとグルーブに溜まる色素が増加するため、Ｌ１層におけるアシンメトリー値は一般的に低下する傾向にある。より詳細には、図１０（ｃ）に示されるように、スピンコート工程によって色素はコーティングされているので、グルーブにおける幅が広い場所の色素膜厚は、グルーブにおける幅が通常の場所（図１０（ａ）を参照）と比較して、薄くなる場合もある。この場合はアシンメトリー値の低下率は小さくなる。
【０１０８】
より具体的には、図１５（ａ）の「Ｃ」点においては、Ｌ１層のグルーブにおける幅の絶対量は、例えば、０．３（μｍ）であることが示されている。「Ｄ１」点、及び、「Ｄ２」点においては、Ｌ１層のグルーブにおける幅を、「Ｃ」点よりも、０．０４又は０．０８（μｍ）程度大きくさせることで、「Ｃ」点のアシンメトリー値よりも０．０４程度低下させていることが示されている。
【０１０９】
他方、図１５（ｂ）の四角でプロットされた直線のグラフ、及び、図１０（ｅ）の物理的構造の断面図に示されるように、Ｌ１層のグルーブにおける深さの絶対量を大きくさせるとグルーブに溜まる色素が増加するため、Ｌ１層におけるアシンメトリー値は一般的に増加する傾向にある。より詳細には、図１０（ｅ）に示されるように、スピンコート工程によって色素はコーティングされているので、グルーブにおける深さの絶対量を大きくさせた場所の色素膜厚は、グルーブにおける深さが通常の場所（図１０（ａ）を参照）と比較して、厚くなる傾向がある。この場合、Ｌ１層のアシンメトリー値の増加率は小さくなる傾向にある。また、図１５（ｂ）のひし形でプロットされた水平直線のグラフ、及び、図１０（ｄ）の物理的構造の断面図に示されるように、色素膜厚が同一の場合、グルーブにおける深さの絶対量を大きくさせると、Ｌ１層のアシンメトリー値の増加率は大きくなる傾向にある。
【０１１０】
より具体的には、図１５（ｂ）の「Ｃ」点においては、Ｌ１層のグルーブにおける深さの絶対量は、例えば、０．１５（μｍ）であることが示されている。「Ｄ３」点においては、Ｌ１層のグルーブにおける深さを、「Ｃ」点よりも、０．０３（μｍ）程度小さくさせることで、「Ｃ」点のアシンメトリー値よりも０．０４程度低下させていることが示されている。
【０１１１】
上述した図１５（ａ）及び図１５（ｂ）をまとめると、前述した図１４に示されるように、「Ｃ」点から「Ｄ」点へと、Ｌ１層におけるアシンメトリー値を低下させることが可能となる。
【０１１２】
以上より、本発明の情報記録媒体の第２実施例に係る２層型光ディスクでは、例えば製造時において、Ｌ１層のＯＰＣエリアＰＣＡ１−３のグルーブにおける幅及び深さの少なくとも一方の絶対量が大きく又は小さくされることによって、Ｌ１層のアシンメトリー値を低下させている。即ち、Ｌ１層のＯＰＣエリアＰＣＡ１−３に照射されたレーザ光ＬＢが記録済みのＬ０層を透過した場合と同様に、Ｌ１層のアシンメトリー値を低下させた状態を擬似的に形成することが可能である。よって、前述した図１４に示されるように、Ｌ１層のＯＰＣエリアＰＣＡ１−３におけるＯＰＣ処理の結果、Ｌ０層が記録済みである場合の最適記録パワーの値は２０（ｍＷ）であると擬似的に検出可能である。
【０１１３】
従って、情報記録装置によって、Ｌ１層に対してＯＰＣ処理を行う前に、Ｌ０層を記録済みの状態にするための記録動作を省略することが可能である。以上より、より迅速且つ的確に、Ｌ１層に対する最適記録パワーの値を検出することが可能となる。
【０１１４】
（情報記録装置の実施例）
次に、図１６及び図１７を参照して、本発明の情報記録装置の実施例の構成及び動作について詳細に説明する。特に、本実施例は、本発明に係る情報記録装置を光ディスク用の情報記録再生装置に適用した例である。
【０１１５】
（情報記録再生装置）
次に、図１６を参照して本発明の情報記録装置の実施例に係る情報記録再生装置の基本構成について説明する。ここに、図１６は、本発明の情報記録装置の実施例に係る情報記録再生装置の基本構成を概念的に示すブロック図である。
【０１１６】
図１６に示すように、本実施例に係る情報記録再生装置３００は、スピンドルモータ３０１、光ピックアップ３１０、ヘッドアンプ３１１、ＲＦ検出器３１２、サーボ回路３１５、ＬＤドライバ３２０、ウォブル検波器３２５、ＬＰＰデータ検出器３２６、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、バッファ３８５、インタフェース３９０及びＣＰＵ（Central Processing Unit）４００を備えて構成されている。
【０１１７】
スピンドルモータ３０１は、サーボ回路３１５等によりスピンドルサーボを受けつつ所定速度で光ディスク１００を回転させるように構成されている。
【０１１８】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光を、再生時には読み取り光として第１のパワーで照射し、記録時には書き込み光として第２のパワーで且つ変調させながら照射する。光ピックアップ３１０は、サーボ回路３１５により駆動される図示しないアクチュエータ、スライダ等により光ディスク１００の半径方向等に移動できるように構成されている。
【０１１９】
ヘッドアンプ３１１は、光ピックアップ３１０の出力信号（即ち、レーザ光ＬＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５やＬＰＰデータ検出器３２６へ出力される。
【０１２０】
ＲＦ検出器３１２は、ＲＦ信号を検出し、復調等を施すことで、再生データをバッファ３８５及びインタフェース３９０経由で外部へ出力可能に構成されている。そして、インタフェース３９０に接続された外部出力機器（例えば、液晶ディスプレイやプラズマディスプレイ等の表示デバイス、或いはスピーカ等）において、所定のコンテンツが再生出力されることとなる。
【０１２１】
サーボ回路３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータ３０１をサーボ制御するように構成されている。
【０１２２】
ＬＤドライバ３２０は、後述のＯＰＣ処理時には、後述のＯＰＣパターンの記録及び再生処理により最適記録パワーの決定が行えるように、光ピックアップ３１０内に設けられた半導体レーザを駆動する。その後、ＬＤドライバ３２０は、データ記録時には、ＯＰＣ処理により決定された最適記録パワーで、光ピックアップ３１０の半導体レーザを駆動するように構成されている。このデータ記録時には、最適記録パワーは、記録データに応じて変調される。
【０１２３】
尚、上述したスピンドルモータ３０１、光ピックアップ３１０、サーボ回路３１５及びＬＤドライバ３２０等を含めて、本発明に係る「書込手段」の一具体例を構成している。
【０１２４】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共にタイミング生成器３４５へ出力するように構成されている。
【０１２５】
ＬＰＰデータ検出器３２６は、光ピックアップ３１０内に設けられた反射光ビームを受光する検出器たるヘッドアンプ３１１からの受光量に応じた出力信号に基づいて、ＬＰＰ信号を示すプッシュプル信号を検出し、例えば後述の如くプリフォーマットアドレス情報を検出可能に構成されている。そして、当該プリフォーマットアドレス情報をタイミング生成器３４５へ出力可能に構成されている。
【０１２６】
エンベロープ検波器３３０は、ＯＰＣ処理におけるＯＰＣパターンの再生時に、ＣＰＵ４００の制御下で、最適記録パワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。
【０１２７】
ＯＰＣパターン発生器３４０は、記録動作前のＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。
【０１２８】
タイミング生成器３４５は、ＯＰＣ処理におけるＯＰＣパターンの記録時に、ＬＰＰデータ検出器３２６より入力されるプリフォーマットアドレス情報に基づき、該プリフォーマットアドレス情報（例えば、ＡＤＩＰワード）の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位、即ち、各ＡＤＩＰワードの境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。
【０１２９】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適記録パワーの検出、即ち、ＯＰＣ処理が実行される。
【０１３０】
バッファ３６０は、ＤＶＤモジュレータ３７０より変調された記録データを格納し、ＬＤドライバ３２０に出力可能に構成されている。
【０１３１】
ＤＶＤモジュレータ３７０は、記録データに対してＤＶＤ変調を施し、バッファ３６０に出力可能に構成されている。ＤＶＤ変調として、例えば８／１６変調が施されてもよい。
【０１３２】
データＥＣＣ生成器３８０は、インタフェース３９０より入力される記録データに対してエラー訂正用の符号を付加する。具体的には、所定のブロック単位（例えば、ＥＣＣクラスタ単位）毎にＥＣＣコードを付加し、ＤＶＤモジュレータ３７０へ出力する。
【０１３３】
バッファ３８５は、ＲＦ検出器３１２から出力される再生データを格納し、インタフェース３９０を介して、外部出力機器へ出力する。
【０１３４】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。
【０１３５】
ＣＰＵ４００は、最適記録パワーを検出するために、例えば、ＬＤドライバ３２０、サーボ回路３１５等の各手段へ指示する、即ちシステムコマンドを出力することで、情報記録再生装置３００全体の制御を行う。通常、ＣＰＵ４００が動作するためのソフトウェアは、内部又は外部のメモリ内に格納されている。
【０１３６】
尚、上述したＣＰＵ４００、エンベロープ検波器３３０、ＯＰＣパターン発生器３４０、タイミング生成器３４５及びＬＤドライバ３２０等を含めて、本発明に係る「試し書き制御手段」の一具体例を構成している。
【０１３７】
また、図１６に示す情報記録再生装置３００は、概ね光ピックアップ３１０、ＬＤドライバ３２０、バッファ３６０、ＤＶＤモジュレータ３７０、データＥＣＣ生成器３８０、その他の構成要素によりデータの記録が可能な情報記録装置として機能し、また概ね光ピックアップ３１０、ヘッドアンプ３１１、ＲＦ検出器３１２、その他の構成要素によりデータの再生が可能な情報再生装置としても機能することはいうまでもない。
【０１３８】
（情報記録再生装置による記録動作の流れ）
次に、図１７を参照して、本実施例に係る情報記録再生装置に係る実施例において光ディスクの記録動作及びＯＰＣ処理の流れについて詳細に説明する。ここに、図１７は本発明の情報記録装置に係る実施例における情報記録再生装置の光ディスクの記録動作及びＯＰＣ処理を示したフローチャート図である。
【０１３９】
図１７において、先ず光ディスク１００が装填されると、ＣＰＵ３５４の制御下で、光ピックアップ３５２によりシーク動作が行われ、光ディスク１００への記録処理に必要な各種管理情報が取得される。この管理情報に基づいて、ＣＰＵ３５４の制御により、例えば外部入力機器等からの指示に応じて、データ入出力制御手段３０６を介して光ディスク１００のデータの記録動作を開始するか否か判定される（ステップＳ１０１）。ここで、光ディスク１００のデータの記録動作を開始する場合（ステップＳ１０１：Ｙｅｓ）、更に、記録対象となる記録層がＬ０層及びＬ１層であるか否かが判定される（ステップＳ１０２）。ここで、記録対象となる記録層がＬ０層及びＬ１層である場合（ステップＳ１０２：Ｙｅｓ）、Ｌ０層及びＬ１層のＯＰＣ処理が行われるＯＰＣエリア内のアドレス情報が特定される（ステップＳ１０３）。
【０１４０】
続いて、Ｌ１層のＯＰＣエリアＰＣＡ１に対向するＬ０層の透過エリアＴＡ又はＴＡ０−２において、グルーブにおける幅及び深さの少なくとも一方の絶対量が大きくされているか否かが判定される（ステップＳ１０４）。ここで、Ｌ０層の透過エリアＴＡ又はＴＡ０−２において、グルーブにおける幅及び深さの少なくとも一方の絶対量が大きくされている場合（ステップＳ１０４：Ｙｅｓ）、Ｌ０層に対しては、ＯＰＣエリアＰＣＡ０に対してＯＰＣ処理が行われると共に、Ｌ１層のＯＰＣエリアＰＣＡ１−１に対しては、透過エリアＴＡを透過したレーザ光ＬＢによって、ＯＰＣ処理が行われる（ステップＳ１０６）。特に、本実施例では、前述に説明したように、従って、情報記録装置によって、Ｌ１層のＯＰＣエリアＰＣＡ１−１に対してＯＰＣ処理を行うに際して、Ｌ０層の透過エリアＴＡへの事前の記録動作を省略することが可能であるので、より迅速且つ的確に、Ｌ１層に対する最適記録パワーの値を検出することが可能となる。
【０１４１】
他方、Ｌ０層の透過エリアＴＡ又はＴＡ０−２において、グルーブにおける幅及び深さの少なくとも一方の絶対量が大きくされていない場合（ステップＳ１０４：Ｎｏ）、Ｌ０層の透過エリアＴＡ０−２において、記録動作が行なわれ（ステップＳ１０５）、記録済みの状態が形成され、前述したステップＳ１０６へと進む。
【０１４２】
続いて、ステップＳ１０６のＯＰＣ処理において検出された最適記録パワーにより、Ｌ０層及びＬ１層へのデータの記録が行われる（ステップＳ１０７）。
【０１４３】
他方、ステップＳ１０２の判定の結果、記録対象となる記録層がＬ０層及びＬ１層でない場合（ステップＳ１０２：Ｎｏ）、更に、記録対象となる記録層がＬ０層のみであるか否かが判定される（ステップＳ１０８）。ここで、記録対象となる記録層がＬ０層のみである場合（ステップＳ１０８：Ｙｅｓ）、Ｌ０層のＯＰＣ処理が行われるＯＰＣエリアＰＣＡ０内のアドレス情報が特定される（ステップＳ１０９）。
【０１４４】
続いて、Ｌ０層のＯＰＣエリアＰＣＡ０に対してＯＰＣ処理が行われる（ステップＳ１１０）。
【０１４５】
続いて、ステップＳ１１０において算出された最適記録パワーにより、Ｌ０層へのデータの記録が行われる（ステップＳ１１１）。
【０１４６】
他方、ステップＳ１０８の判定の結果、記録対象となる記録層がＬ０層のみでない場合、記録対象となる記録層がＬ１層のみである場合（ステップＳ１０８：Ｎｏ）、Ｌ１層のＯＰＣ処理が行われるＯＰＣエリア内のアドレス情報が特定される（ステップＳ１１２）。
【０１４７】
続いて、Ｌ１層のＯＰＣエリアに対向するＬ０層の透過エリアにおいて、グルーブにおける幅及び深さの少なくとも一方の絶対量が大きくされているか否かが判定される（ステップＳ１１３）。ここで、Ｌ０層の透過エリアにおいて、グルーブにおける幅及び深さの少なくとも一方の絶対量が大きくされている場合（ステップＳ１１３：Ｙｅｓ）、Ｌ１層に対してＯＰＣ処理が行われる（ステップＳ１１５）。特に、本実施例では、前述に説明したように、従って、情報記録装置によって、Ｌ１層に対してＯＰＣ処理を行うに際して、Ｌ０層への事前の記録動作を省略することが可能であるので、より迅速且つ的確に、Ｌ１層に対する最適記録パワーの値を検出することが可能となる。
【０１４８】
他方、Ｌ０層の透過エリアにおいて、グルーブにおける幅及び深さの少なくとも一方の絶対量が大きくされていない場合（ステップＳ１１３：Ｎｏ）、Ｌ０層の透過エリアにおいて、記録動作が行なわれ（ステップＳ１１４）、記録済みの状態が形成され、前述したステップＳ１１５へと進む。
【０１４９】
続いて、ステップＳ１１５において算出された最適記録レーザパワーにより、Ｌ１層へのデータの記録が行われる（ステップＳ１１６）。
【０１５０】
続いて、データの記録動作を終了するか否かが判定される（ステップＳ１１７）。ここで、データの記録動作を終了する場合（ステップＳ１１７：Ｙｅｓ）、情報記録装置による一連の記録動作は完了される。
【０１５１】
他方、データの記録動作を終了しない場合（ステップＳ１１７：Ｎｏ）、前述した、記録対象となる記録層がＬ０層及びＬ１層であるか否かが判定される（ステップＳ１０２）。
【０１５２】
他方、ステップＳ１０１の判定の結果、光ディスク１００のデータの記録動作を開始しない場合（ステップＳ１０１：Ｎｏ）、例えば、記録動作開始コマンド等の指示を待つ。
【０１５３】
本実施例では、情報記録媒体の一具体例として、例えば、２層型ＤＶＤ−Ｒ又はＤＶＤ−Ｒ／Ｗ等の追記型又は書き換え型光ディスク、並びに、情報記録装置の一具体例として、該光ディスクの情報記録再生装置について説明したが、本発明は、例えば、３層型や、４層型等のマルチプルレイヤ型の光ディスク、並びに、該光ディスクの情報記録再生装置にも適用可能である。更に、ブルーレイ（Blue-ray）ディスク等の大容量記録媒体及び該記録媒体の情報記録再生装置にも適用可能である。
【０１５４】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法もまた本発明の技術的範囲に含まれるものである。
【図面の簡単な説明】
【０１５５】
【図１】本発明の情報記録媒体の第１実施例に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録媒体の第１実施例に係る光ディスクの記録面における部分拡大斜視図である。
【図３】本発明の情報記録媒体の第１実施例に係る光ディスクを対象とした最適記録パワーを検出するＯＰＣ処理（１１パワーステップの場合）を示した模式的タイミングチャート図である。
【図４】本発明の情報記録媒体の第１実施例に係る光ディスクを対象とした最適記録パワーを検出するＯＰＣ処理（１１パワーステップの場合）における再生ＲＦ信号を示した図式的概念図である。
【図５】本発明の情報記録媒体の第１実施例に係る光ディスクを対象とした最適記録パワーを検出するＯＰＣ処理（１１パワーステップの場合）におけるパワーステップ毎のアシンメトリー値をプロットしたグラフ図である。
【図６】本発明の情報記録媒体の第１実施例に係る光ディスクを対象とした最適記録パワーを検出するＯＰＣ処理のうち、一つのパワーステップの詳細を示した波形図である。
【図７】本発明の情報記録媒体の第１実施例に係る２層型光ディスクのＯＰＣ処理において使用されるＯＰＣエリアの物理的構造を拡大した図式的断面図である。
【図８】本発明の情報記録媒体の第１実施例に係る２層型光ディスクのＬ０層が未記録の場合、並びに、Ｌ０層のグルーブにおける幅及び深さの少なくとも一方の絶対量が大きくされ、未記録状態のＬ０層の光透過率が低下されて記録済みのＬ０層の光透過率に近似された場合のＬ１層を記録対象とした記録パワーと、Ｌ１層におけるアシンメトリー値との関係を示したグラフである。
【図９】本発明の情報記録媒体の第１実施例に係る２層型光ディスクのＬ０層のグルーブにおける幅と、色素膜の厚さと、記録パワー及び記録パルスを一定とした条件下でのＬ０層における光透過率との相関関係を示したグラフ（図９（ａ））、及び、本発明の情報記録媒体の第１実施例に係る２層型光ディスクのＬ０層のグルーブにおける深さと、色素膜の厚さと、記録パワー及び記録パルスを一定とした条件下でのＬ０層における光透過率との相関関係を示したグラフ（図９（ｂ））である。
【図１０】本発明の情報記録媒体の第１実施例に係る２層型光ディスクのＬ０層（Ｌ１層）のグルーブにおける幅又は深さに加えて色素膜の厚さの絶対量が変化された場合のＬ０層（Ｌ１層）の物理的構造を示した図式的な断面図である。
【図１１】比較例に係る２層型光ディスクのＯＰＣ処理において使用されるＯＰＣエリアの物理的構造を拡大した図式的断面図である。
【図１２】比較例に係る２層型光ディスクのＬ０層が未記録の場合、並びに、Ｌ０層が記録済みの場合のＬ１層を記録対象とした記録パワーと、記録パワー及び記録パルスを一定とした条件下でのＬ１層におけるアシンメトリー値との関係を示したグラフである。
【図１３】本発明の情報記録媒体の第２実施例に係る２層型光ディスクのＯＰＣ処理において使用されるＯＰＣエリアの物理的構造を拡大した図式的断面図である。
【図１４】本発明の情報記録媒体の第２実施例に係る２層型光ディスクのＬ０層が未記録の場合、並びに、Ｌ１層のグルーブにおける幅及び深さの少なくとも一方の絶対量が大きくされた場合のＬ１層を記録対象とした記録パワーと、Ｌ１層におけるアシンメトリー値との関係を示したグラフである。
【図１５】本発明の情報記録媒体の第２実施例に係る２層型光ディスクのＬ１層のグルーブにおける幅と、色素膜の厚さと、記録パワー及び記録パルスを一定とした条件下でのＬ１層におけるアシンメトリー値との相関関係を示したグラフ（図１５（ａ））、及び、本発明の情報記録媒体の第２実施例に係る２層型光ディスクのＬ１層のグルーブにおける深さと、色素膜の厚さと、記録パワー及び記録パルスを一定とした条件下でのＬ１層におけるアシンメトリー値との相関関係を示したグラフ（図１５（ｂ））である。
【図１６】本発明の情報記録装置の実施例に係る情報記録再生装置の基本構成を概念的に示すブロック図である。
【図１７】本発明の情報記録装置に係る実施例における情報記録再生装置の光ディスクの記録動作及びＯＰＣ処理を示したフローチャート図である。
【符号の説明】
【０１５６】
１…センターホール、１０…トラック、１１…セクタ、１００…光ディスク、１０１…リードインエリア、１０２…データエリア、１０３…リードアウトエリア、１０４…ミドルエリア、１０６…透明基板、１０７…第１記録層、１０８…半透過反射膜、１０９…ウォブル、２０５…中間層、２０７…第２記録層、２０８…反射膜、３００…情報記録再生装置、３０１…スピンドルモータ、３１０…光ピックアップ、３１１…ヘッドアンプ、ＲＦ検出器…３１２、サーボ回路…３１５、ＬＤドライバ…３２０、３２５…ウォブル検波器、３２６…ＬＰＰデータ検出器、３３０…エンベロープ検波器、３４０…ＯＰＣパターン生成器、３４５…タイミング生成器、３５０…データ収集器、３６０…バッファ、３７０…ＤＶＤモジュレータ、３８０…データＥＣＣ生成器、３８５…バッファ、３９０…インタフェース、４００…ＣＰＵ、ＧＴ…グルーブトラック、ＬＴ…ランドトラック、ＬＢ…レーザ光、ＬＰ…ランドプリピット、ＴＡ（ＴＡ０−１及びＴＡ０−２）…透過エリア、ＰＣＡ０（ＰＣＡ１、ＰＣＡ１−１、ＰＣＡ１−２及びＰＣＡ１−３）…ＯＰＣエリア
【図１】
2005353165.tif 000003
【図２】
2005353165.tif 000004
【図３】
2005353165.tif 000005
【図４】
2005353165.tif 000006
【図５】
2005353165.tif 000007
【図６】
2005353165.tif 000008
【図７】
2005353165.tif 000009
【図８】
2005353165.tif 000010
【図９】
2005353165.tif 000011
【図１０】
2005353165.tif 000012
【図１１】
2005353165.tif 000013
【図１２】
2005353165.tif 000014
【図１３】
2005353165.tif 000015
【図１４】
2005353165.tif 000016
【図１５】
2005353165.tif 000017
【図１６】
2005353165.tif 000018
【図１７】
2005353165.tif 000019